【手続補正書】
【提出日】令和2年6月23日(2020.6.23)
【手続補正１】
【補正対象書類名】特許請求の範囲
【補正対象項目名】全文
【補正方法】変更
【補正の内容】
【特許請求の範囲】
【請求項１】
（Ａ）着色剤、（Ｂ）分散剤、（Ｃ）バインダー樹脂、（Ｄ）光重合性モノマー及び（Ｅ）光重合開始剤を含有する着色感光性樹脂組成物であって、
前記（Ａ）着色剤が、下記一般式（Ｉ）で表される化合物、前記化合物の幾何異性体、前記化合物の塩、及び前記化合物の幾何異性体の塩からなる群から選ばれる少なくとも１種を含有する（Ａ１）有機黒色顔料を含み、
前記（Ｂ）分散剤が、アクリル系分散剤を含み、
前記（Ｃ）バインダー樹脂が、（Ｃ１）主鎖に芳香族環を有するエポキシ（メタ）アクリレート樹脂を８５質量％以上含むことを特徴とする着色感光性樹脂組成物。
【化１】
2019082692.tif 000001
（式（Ｉ）中、Ｒａ1及びＲａ6は各々独立に、水素原子、ＣＨ3、ＣＦ3、フッ素原子又は塩素原子を表し；
Ｒａ2、Ｒａ3、Ｒａ4、Ｒａ5、Ｒａ7、Ｒａ8、Ｒａ9及びＲａ10は各々独立に、水素原子、ハロゲン原子、Ｒａ11、ＣＯＯＨ、ＣＯＯＲａ11、ＣＯＯ-、ＣＯＮＨ2、ＣＯＮＨＲａ11、ＣＯＮＲａ11Ｒａ12、ＣＮ、ＯＨ、ＯＲａ11、ＣＯＣＲａ11、ＯＯＣＮＨ2、ＯＯＣＮＨＲａ11、ＯＯＣＮＲａ11Ｒａ12、ＮＯ2、ＮＨ2、ＮＨＲａ11、ＮＲａ11Ｒａ12、ＮＨＣＯＲａ12、ＮＲａ11ＣＯＲａ12、Ｎ＝ＣＨ2、Ｎ＝ＣＨＲａ11、Ｎ＝ＣＲａ11Ｒａ12、ＳＨ、ＳＲａ11、ＳＯＲａ11、ＳＯ2Ｒａ11、ＳＯ3Ｒａ11、ＳＯ3Ｈ、ＳＯ3-、ＳＯ2ＮＨ2、ＳＯ2ＮＨＲａ11又はＳＯ2ＮＲａ11Ｒａ12を表し；
且つ、Ｒａ2とＲａ3、Ｒａ3とＲａ4、Ｒａ4とＲａ5、Ｒａ7とＲａ8、Ｒａ8とＲａ9、及びＲａ9とＲａ10からなる群から選ばれる少なくとも１つの組み合わせは、互いに直接結合してもよく、又は酸素原子、硫黄原子、ＮＨ若しくはＮＲａ11ブリッジによって互いに結合してもよく；
Ｒａ11及びＲａ12は各々独立に、炭素数１〜１２のアルキル基、炭素数３〜１２のシクロアルキル基、炭素数２〜１２のアルケニル基、炭素数３〜１２のシクロアルケニル基又は炭素数２〜１２のアルキニル基を表す。）
【請求項２】
前記（Ｃ）バインダー樹脂における前記（Ｃ１）主鎖に芳香族環を有するエポキシ（メタ）アクリレート樹脂の含有割合が９０質量％以上である、請求項１に記載の着色感光性樹脂組成物。
【請求項３】
前記（Ｃ１）主鎖に芳香族環を有するエポキシ（メタ）アクリレート樹脂が、下記一般式（ＩＩ）で表される繰り返し単位構造を有するエポキシ（メタ）アクリレート樹脂及び下記一般式（ＩＩＩ）で表される部分構造を有するエポキシ（メタ）アクリレート樹脂の一方又は両方を含む、請求項１又は２に記載の着色感光性樹脂組成物。
【化２】
2019082692.tif 000002
（式（ＩＩ）中、Ｒ11は水素原子又はメチル基を表し；
Ｒ12は置換基を有していてもよい２価の炭化水素基を表し；
式（ＩＩ）中のベンゼン環は、更に任意の置換基により置換されていてもよく；
＊は結合手を表す。）
【化３】
2019082692.tif 000003
（式（ＩＩＩ）中、Ｒ13は各々独立に、水素原子又はメチル基を表し；
Ｒ14は、環状炭化水素基を側鎖として有する２価の炭化水素基を表し；
Ｒ15及びＲ16は各々独立に、置換基を有していてもよい２価の脂肪族基を表し；
ｍ及びｎは各々独立に０〜２の整数を表し；
＊は結合手を表す。）
【請求項４】
前記アクリル系分散剤が、窒素原子を含有するアクリル系分散剤である、請求項１〜３のいずれか１項に記載の着色感光性樹脂組成物。
【請求項５】
前記（Ａ）着色剤の含有割合が、前記着色感光性樹脂組成物の全固形分あたり６０質量％以下である、請求項１〜４のいずれか１項に記載の着色感光性樹脂組成物。
【請求項６】
前記（Ａ）着色剤が、さらに（Ａ２）有機着色顔料及び（Ａ３）カーボンブラックの一方又は両方を含む、請求項１〜５のいずれか１項に記載の着色感光性樹脂組成物。
【請求項７】
前記（Ａ）着色剤における（Ａ１）有機黒色顔料の含有割合が１０質量％以上である、請求項１〜６のいずれか１項に記載の着色感光性樹脂組成物。
【請求項８】
（Ａ）着色剤、（Ｂ）分散剤、（Ｃ）バインダー樹脂、（Ｄ）光重合性モノマー及び（Ｅ）光重合開始剤を含有する、有機電界発光素子の隔壁を形成するための着色感光性樹脂組成物であって、
前記（Ａ）着色剤が、下記一般式（Ｉ）で表される化合物、前記化合物の幾何異性体、前記化合物の塩、及び前記化合物の幾何異性体の塩からなる群から選ばれる少なくとも１種を含有する（Ａ１）有機黒色顔料を含み、
前記（Ｃ）バインダー樹脂が、（Ｃ１）主鎖に芳香族環を有するエポキシ（メタ）アクリレート樹脂を８５質量％以上含むことを特徴とする着色感光性樹脂組成物。
【化４】
2019082692.tif 000004
（式（Ｉ）中、Ｒａ1及びＲａ6は各々独立に、水素原子、ＣＨ3、ＣＦ3、フッ素原子又は塩素原子を表し；
Ｒａ2、Ｒａ3、Ｒａ4、Ｒａ5、Ｒａ7、Ｒａ8、Ｒａ9及びＲａ10は各々独立に、水素原子、ハロゲン原子、Ｒａ11、ＣＯＯＨ、ＣＯＯＲａ11、ＣＯＯ-、ＣＯＮＨ2、ＣＯＮＨＲａ11、ＣＯＮＲａ11Ｒａ12、ＣＮ、ＯＨ、ＯＲａ11、ＣＯＣＲａ11、ＯＯＣＮＨ2、ＯＯＣＮＨＲａ11、ＯＯＣＮＲａ11Ｒａ12、ＮＯ2、ＮＨ2、ＮＨＲａ11、ＮＲａ11Ｒａ12、ＮＨＣＯＲａ12、ＮＲａ11ＣＯＲａ12、Ｎ＝ＣＨ2、Ｎ＝ＣＨＲａ11、Ｎ＝ＣＲａ11Ｒａ12、ＳＨ、ＳＲａ11、ＳＯＲａ11、ＳＯ2Ｒａ11、ＳＯ3Ｒａ11、ＳＯ3Ｈ、ＳＯ3-、ＳＯ2ＮＨ2、ＳＯ2ＮＨＲａ11又はＳＯ2ＮＲａ11Ｒａ12を表し；
且つ、Ｒａ2とＲａ3、Ｒａ3とＲａ4、Ｒａ4とＲａ5、Ｒａ7とＲａ8、Ｒａ8とＲａ9、及びＲａ9とＲａ10からなる群から選ばれる少なくとも１つの組み合わせは、互いに直接結合してもよく、又は酸素原子、硫黄原子、ＮＨ若しくはＮＲａ11ブリッジによって互いに結合してもよく；
Ｒａ11及びＲａ12は各々独立に、炭素数１〜１２のアルキル基、炭素数３〜１２のシクロアルキル基、炭素数２〜１２のアルケニル基、炭素数３〜１２のシクロアルケニル基又は炭素数２〜１２のアルキニル基を表す。）
【請求項９】
前記（Ｃ）バインダー樹脂における前記（Ｃ１）主鎖に芳香族環を有するエポキシ（メタ）アクリレート樹脂の含有割合が９０質量％以上である、請求項８に記載の着色感光性樹脂組成物。
【請求項１０】
前記（Ｃ１）主鎖に芳香族環を有するエポキシ（メタ）アクリレート樹脂が、下記一般式（ＩＩ）で表される繰り返し単位構造を有するエポキシ（メタ）アクリレート樹脂及び下記一般式（ＩＩＩ）で表される部分構造を有するエポキシ（メタ）アクリレート樹脂の一方又は両方を含む、請求項８又は９に記載の着色感光性樹脂組成物。
【化５】
2019082692.tif 000005
（式（ＩＩ）中、Ｒ11は水素原子又はメチル基を表し；
Ｒ12は置換基を有していてもよい２価の炭化水素基を表し；
式（ＩＩ）中のベンゼン環は、更に任意の置換基により置換されていてもよく；
＊は結合手を表す。）
【化６】
2019082692.tif 000006
（式（ＩＩＩ）中、Ｒ13は各々独立に、水素原子又はメチル基を表し；
Ｒ14は、環状炭化水素基を側鎖として有する２価の炭化水素基を表し；
Ｒ15及びＲ16は各々独立に、置換基を有していてもよい２価の脂肪族基を表し；
ｍ及びｎは各々独立に０〜２の整数を表し；
＊は結合手を表す。）
【請求項１１】
前記（Ａ）着色剤の含有割合が、前記着色感光性樹脂組成物の全固形分あたり６０質量％以下である、請求項８〜１０のいずれか１項に記載の着色感光性樹脂組成物。
【請求項１２】
前記（Ａ）着色剤が、さらに（Ａ２）有機着色顔料及び（Ａ３）カーボンブラックの一方又は両方を含む、請求項８〜１１のいずれか１項に記載の着色感光性樹脂組成物。
【請求項１３】
前記（Ａ）着色剤における（Ａ１）有機黒色顔料の含有割合が１０質量％以上である、請求項８〜１２のいずれか１項に記載の着色感光性樹脂組成物。
【請求項１４】
請求項１〜１３のいずれか１項に記載の着色感光性樹脂組成物で構成される隔壁。
【請求項１５】
請求項１４に記載の隔壁を備える有機電界発光素子。
【請求項１６】
請求項１５に記載の有機電界発光素子を含む画像表示装置。
【請求項１７】
請求項１５に記載の有機電界発光素子を含む照明。
【請求項１８】
（Ａ）着色剤、（Ｂ）分散剤及び（Ｃ）バインダー樹脂を含有する顔料分散液であって、
前記（Ａ）着色剤が、下記一般式（Ｉ）で表される化合物、前記化合物の幾何異性体、前記化合物の塩、及び前記化合物の幾何異性体の塩からなる群から選ばれる少なくとも１種を含有する（Ａ１）有機黒色顔料を含み、
前記（Ｂ）分散剤が、アクリル系分散剤を含み、
前記（Ｃ）バインダー樹脂が、（Ｃ１）主鎖に芳香族環を有するエポキシ（メタ）アクリレート樹脂を含むことを特徴とする顔料分散液。
【化７】
2019082692.tif 000007
（式（Ｉ）中、Ｒａ1及びＲａ6は各々独立に、水素原子、ＣＨ3、ＣＦ3、フッ素原子又は塩素原子を表し；
Ｒａ2、Ｒａ3、Ｒａ4、Ｒａ5、Ｒａ7、Ｒａ8、Ｒａ9及びＲａ10は各々独立に、水素原子、ハロゲン原子、Ｒａ11、ＣＯＯＨ、ＣＯＯＲａ11、ＣＯＯ-、ＣＯＮＨ2、ＣＯＮＨＲａ11、ＣＯＮＲａ11Ｒａ12、ＣＮ、ＯＨ、ＯＲａ11、ＣＯＣＲａ11、ＯＯＣＮＨ2、ＯＯＣＮＨＲａ11、ＯＯＣＮＲａ11Ｒａ12、ＮＯ2、ＮＨ2、ＮＨＲａ11、ＮＲａ11Ｒａ12、ＮＨＣＯＲａ12、ＮＲａ11ＣＯＲａ12、Ｎ＝ＣＨ2、Ｎ＝ＣＨＲａ11、Ｎ＝ＣＲａ11Ｒａ12、ＳＨ、ＳＲａ11、ＳＯＲａ11、ＳＯ2Ｒａ11、ＳＯ3Ｒａ11、ＳＯ3Ｈ、ＳＯ3-、ＳＯ2ＮＨ2、ＳＯ2ＮＨＲａ11又はＳＯ2ＮＲａ11Ｒａ12を表し；
且つ、Ｒａ2とＲａ3、Ｒａ3とＲａ4、Ｒａ4とＲａ5、Ｒａ7とＲａ8、Ｒａ8とＲａ9、及びＲａ9とＲａ10からなる群から選ばれる少なくとも１つの組み合わせは、互いに直接結合してもよく、又は酸素原子、硫黄原子、ＮＨ若しくはＮＲａ11ブリッジによって互いに結合してもよく；
Ｒａ11及びＲａ12は各々独立に、炭素数１〜１２のアルキル基、炭素数３〜１２のシクロアルキル基、炭素数２〜１２のアルケニル基、炭素数３〜１２のシクロアルケニル基又は炭素数２〜１２のアルキニル基を表す。）
【請求項１９】
前記（Ｂ）分散剤の含有割合が、（Ａ）着色剤１００質量部に対して１０質量部以上である、請求項１８に記載の顔料分散液。
【請求項２０】
前記（Ｃ１）主鎖に芳香族環を有するエポキシ（メタ）アクリレート樹脂が、下記一般式（ＩＩ）で表される繰り返し単位構造を有するエポキシ（メタ）アクリレート樹脂及び下記一般式（ＩＩＩ）で表される部分構造を有するエポキシ（メタ）アクリレート樹脂の一方又は両方を含む、請求項１８又は１９に記載の顔料分散液。
【化８】
2019082692.tif 000008
（式（ＩＩ）中、Ｒ11は水素原子又はメチル基を表し；
Ｒ12は置換基を有していてもよい２価の炭化水素基を表し；
式（ＩＩ）中のベンゼン環は、更に任意の置換基により置換されていてもよく；
＊は結合手を表す。）
【化９】
2019082692.tif 000009
（式（ＩＩＩ）中、Ｒ13は各々独立に、水素原子又はメチル基を表し；
Ｒ14は、環状炭化水素基を側鎖として有する２価の炭化水素基を表し；
Ｒ15及びＲ16は各々独立に、置換基を有していてもよい２価の脂肪族基を表し；
ｍ及びｎは各々独立に０〜２の整数を表し；
＊は結合手を表す。）
【請求項２１】
前記アクリル系分散剤が、窒素原子を含有するアクリル系分散剤である、請求項１８〜２０のいずれか１項に記載の顔料分散液。
【請求項２２】
着色感光性樹脂組成物を製造するために用いられる、請求項１８〜２１のいずれか１項に記載の顔料分散液。